(57)【特許請求の範囲】
【請求項１】
矩形板状をなし、前側で映像を表示する表示パネルと、
矩形板状をなし、前記表示パネルの後側に配され、端縁部に、面方向に沿って突出する複数の位置規制部を有する光学シートと、
板状をなし、前記光学シートの端縁部を支持する本体、
該本体の幅方向外側の端縁部に設けられ、板状をなし、前記表示パネルの端縁部を支持しており、前記位置規制部を嵌合する嵌合部を有するパネル支持部、及び
該パネル支持部の幅方向内側の端縁部に設けられたリブを有する支持体と
を備える表示装置において、
前記リブは、前記嵌合部側の端部が前記嵌合部に向かって漸次的に高さが低くなるように切り欠いてあることを特徴とする表示装置。
【請求項２】
矩形板状をなし、前側で映像を表示する表示パネルと、
矩形板状をなし、前記表示パネルの後側に配され、端縁部に、面方向に沿って突出する複数の位置規制部を有する光学シートと、
板状をなし、前記光学シートの端縁部を支持する本体、
該本体の幅方向外側の端縁部に設けられ、板状をなし、前記表示パネルの端縁部を支持しており、前記位置規制部を嵌合する嵌合部を有するパネル支持部、及び
該パネル支持部の幅方向内側の端縁部に設けられたリブを有する支持体と
を備える表示装置において、
前記リブは、前記嵌合部側の端部が欠落していることを特徴とする表示装置。
【請求項３】
矩形板状をなし、前側で映像を表示する表示パネルと、
矩形板状をなし、前記表示パネルの後側に配され、端縁部に、面方向に沿って突出する複数の位置規制部を有する光学シートと、
板状をなし、前記光学シートの端縁部を支持する本体、
該本体の幅方向外側の端縁部に設けられ、板状をなし、前記表示パネルの端縁部を支持しており、前記位置規制部を嵌合する嵌合部を有するパネル支持部、及び
該パネル支持部の幅方向内側の端縁部に設けられたリブを有する支持体と
を備える表示装置において、
前記パネル支持部は、前記嵌合部側の端部が前記嵌合部に向かって漸次的に高さが低くなるように切り欠いてあることを特徴とする表示装置。
【請求項４】
前記表示パネルの前面の端縁部及び側面を覆うキャビネットを有し、前記支持体は、前記パネル支持部の外側に、前記キャビネットの前記側面を覆う部分に当接する当接部を有しており、
前記部分と前記当接部との間に、スペーサを備えることを特徴とする請求項１から３までのいずれか１項に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、前側で映像を表示する表示パネル、及び該表示パネルの端縁部を支持する支持体を備える表示装置、並びに該表示装置を備えるテレビジョン受信機に関する。
【背景技術】
【０００２】
例えば液晶テレビジョン受信機等のテレビジョン受信機（以下、ＴＶ受信機という）は、前側で映像を表示する表示パネル、及び表示パネルの後側に光を照射するバックライトユニットを有する表示モジュールと、表示モジュールの前後を挟むようにして収容する合成樹脂製のフロントキャビネット及びリアキャビネットと、スタンドとを備える。表示モジュールは、全体として横長の略直方体状をなし、縦姿勢でフロントキャビネット及びリアキャビネットに収容されている。
表示パネルは、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が注入されている。
バックライトユニットは表示パネルの背面側に配され、光学シート、導光板、及びＬＥＤ基板をシャーシに収納してなる。【０００３】
図１２は従来の表示モジュールの一部断面図、図１３は従来のミドルシャーシの一部斜視図である。
この表示モジュールは、表示パネル５、光学シート６、ミドルシャーシ７、導光板１０、ＬＥＤ基板（不図示）、ヒートスプレッダ（不図示）、及びバックライトシャーシ（以下、ＢＬシャーシという）１４を備える。光学シート６の上側の端縁部には、面方向に沿って突出する位置規制部６１が設けられている。
表示モジュールの前面の端縁部及び側面は、フロントキャビネット３により覆われている。【０００４】
ＢＬシャーシ１４は、表示パネル５側が開口された略箱状をなす。そして、ＢＬシャーシ１４に、導光板１０、反射シート、ＬＥＤ基板、及びヒートスプレッダが収納されている。【０００５】
ミドルシャーシ７は、本体７１、パネル支持部７２、リブ８０、緩衝材収納部７４、及び当接部７５を備える。本体７１は板状をなし、本体７１の上側端縁部に、板状をなし、本体７１の長手方向に延びるパネル支持部７２が設けられている。パネル支持部７２の下側端縁部にはパネル支持部７２の長手方向に延びるリブ８０が設けられている。そして、パネル支持部７２は前記位置規制部６１に対応して長手方向に３箇所切り欠かれて、嵌合部７６が設けられている。パネル支持部７２の上側端縁部には、パネル支持部７２と直交するように当接部７５が設けられている。本体７１の後面には緩衝材収納部７４が凹設されている。【０００６】
以上のように構成されたミドルシャーシ７においては、位置規制部６１がパネル支持部７２の嵌合部７６に嵌合された状態で、本体７１の前面に、光学シート６の端縁部が支持される。そして、リブ８０と当接部７５との間に緩衝材１５が載置された状態で、表示パネル５の後面の端縁部がパネル支持部７２に支持される。すなわち、表示パネル５の前面の端縁部とフロントキャビネット３との間に緩衝材１８が介在し、表示パネル５の後面の端縁部とパネル支持部７２との間に緩衝材１５が介在する状態で、表示パネル５はフロントキャビネット３及びミドルシャーシ７に挟持される。
緩衝材収納部７４には緩衝材１６が収納され、導光板１０の前面の端縁部が緩衝材１６に当接される。
当接部７５は、下面がＢＬシャーシ１４の上板部分の上面に当接するとともに、上面がフロントキャビネット３の上板部分の下面に当接する。すなわち、ミドルシャーシ７はＢＬシャーシ１４の上板部分を支持する。
以上の構成により、表示パネル５とバックライトユニットとが一体化されている。【０００７】
近年、表示モジュールの挟額縁化及び薄型化が図られている。挟額縁構造の場合、図１２に示すようにミドルシャーシ７の表示パネル５を受ける部分の面積が小さくなる。このため、フロントキャビネット３の反り、部品の公差等により、表示パネル５に部分的な圧力がかかりやすくなっている。すなわち、嵌合部７６においてパネル支持部７２は欠落しており、表示パネル５がパネル支持部７２に支持されず、リブ８０の嵌合部７６側の端部が表示パネル５に当たって負荷がかかるので、セル厚（液晶層の厚み）が変化し、白抜けとなり、表示品位が悪くなるという問題があった。図１２に示す矢印の方向に力が働き、ミドルシャーシ７が開く場合、又は緩衝材１５が嵌合部７６の端部まで設けられていない場合に、リブ８０の前記端部は表示パネル５により当接しやすくなる。【０００８】
特許文献１には、表示パネルの四隅部分を除く部分でフロントキャビネットが表示パネルを挟持し、四隅部分はフロントキャビネットで挟持されないように構成されたＴＶ受信機の発明が開示されている。この構成によれば、フロントキャビネットを表示パネルに取り付ける場合に、四隅部分に荷重がかからないので、白抜けの発生を抑制することができ、ムラを抑えた表示が可能になる。
【先行技術文献】
【特許文献】
【０００９】
【特許文献１】特開２０１３−１６４４６６号公報
【発明の概要】
【発明が解決しようとする課題】
【００１０】
特許文献１のＴＶ受信機の場合、四隅部分で、フロントキャビネットと表示パネルとの間に隙間があるので、光漏れが発生する可能性があるという問題がある。【００１１】
本発明は斯かる事情に鑑みてなされたものであり、光漏れが発生することなく、パネル支持部の嵌合部の両端部側において表示パネルに負荷がかかるのが抑制され、表示パネルのセル厚が変化して白抜けが生じ、表示品位が悪化するのが抑制された表示装置、及び該表示装置を備えるＴＶ受信機を提供することを目的とする。
【課題を解決するための手段】
【００１２】
本発明に係る表示装置は、矩形板状をなし、前側で映像を表示する表示パネルと、矩形板状をなし、前記表示パネルの後側に配され、端縁部に、面方向に沿って突出する複数の位置規制部を有する光学シートと、板状をなし、前記光学シートの端縁部を支持する本体、該本体の幅方向外側の端縁部に設けられ、板状をなし、前記表示パネルの端縁部を支持しており、前記位置規制部を嵌合する嵌合部を有するパネル支持部、及び該パネル支持部の幅方向内側の端縁部に設けられたリブを有する支持体とを備える表示装置において、前記リブは、前記嵌合部側の端部が前記嵌合部に向かって漸次的に高さが低くなるように切り欠いてあることを特徴とする。
【００１３】
本発明に係る表示装置は、矩形板状をなし、前側で映像を表示する表示パネルと、矩形板状をなし、前記表示パネルの後側に配され、端縁部に、面方向に沿って突出する複数の位置規制部を有する光学シートと、板状をなし、前記光学シートの端縁部を支持する本体、該本体の幅方向外側の端縁部に設けられ、板状をなし、前記表示パネルの端縁部を支持しており、前記位置規制部を嵌合する嵌合部を有するパネル支持部、及び該パネル支持部の幅方向内側の端縁部に設けられたリブを有する支持体とを備える表示装置において、前記リブは、前記嵌合部側の端部が欠落していることを特徴とする。
【００１４】
本発明に係る表示装置は、矩形板状をなし、前側で映像を表示する表示パネルと、矩形板状をなし、前記表示パネルの後側に配され、端縁部に、面方向に沿って突出する複数の位置規制部を有する光学シートと、板状をなし、前記光学シートの端縁部を支持する本体、該本体の幅方向外側の端縁部に設けられ、板状をなし、前記表示パネルの端縁部を支持しており、前記位置規制部を嵌合する嵌合部を有するパネル支持部、及び該パネル支持部の幅方向内側の端縁部に設けられたリブを有する支持体とを備える表示装置において、前記パネル支持部は、前記嵌合部側の端部が前記嵌合部に向かって漸次的に高さが低くなるように切り欠いてあることを特徴とする。
【００１５】
本発明に係る表示装置は、前記表示パネルの前面の端縁部及び側面を覆うキャビネットを有し、前記支持体は、前記パネル支持部の外側に、前記キャビネットの前記側面を覆う部分に当接する当接部を有しており、前記部分と前記当接部との間に、スペーサを備えることを特徴とする。【００１６】
本発明に係るＴＶ受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【発明の効果】
【００１７】
本発明の表示装置によれば、リブの嵌合部側の端部が支持体の基部側へ傾斜し、若しくは嵌合部側の端部が欠落し、又はパネル支持部の嵌合部側の端部が支持体の基部側へ傾斜しているので、表示パネルが支持体の嵌合部で落ち込んだ場合においても、リブの端部が表示パネルに当接することがない。従って、嵌合部の両端部側において表示パネルに負荷がかかることがない。よって、表示パネルのセル厚が変化して白抜けが生じ、表示品位が悪化するのが抑制されている。そして、特許文献１のように、四隅部分に荷重がかからないように構成しているのではないので、光漏れが発生することがない。
【図面の簡単な説明】
【００１８】
【図１】本発明の実施の形態１に係るＴＶ受信機の外観斜視図である。
【図２】ＴＶ受信機の分解斜視図である。
【図３】ミドルシャーシの斜視図である。
【図４】ミドルシャーシの一部拡大斜視図である。
【図５】光学シートの位置規制部をミドルシャーシの嵌合部に嵌合した状態を示す一部正面図である。
【図６】図１のVI−VI線断面図である。
【図７】本発明の実施の形態２に係るＴＶ受信機のミドルシャーシを示す一部斜視図である。
【図８】本発明の実施の形態３に係るＴＶ受信機のミドルシャーシを示す一部斜視図である。
【図９】本発明の実施の形態４に係るＴＶ受信機のミドルシャーシを示す一部斜視図である。
【図１０】本発明の実施の形態５に係るＴＶ受信機の、表示モジュールがフロントキャビネットで覆われた状態を示す一部断面図である。
【図１１】本発明の実施の形態６に係るＴＶ受信機の、表示モジュールがフロントキャビネットで覆われた状態を示す一部断面図である。
【図１２】従来の表示モジュールの一部断面図である。
【図１３】従来のミドルシャーシの一部斜視図である。
【発明を実施するための形態】
【００１９】
以下、本発明をその実施の形態を示す図面に基づいて具体的に説明する。
実施の形態１．
図１は本発明の実施の形態１に係るＴＶ受信機１の外観斜視図、図２はＴＶ受信機１の分解斜視図、図３はミドルシャーシ７の斜視図、図４はミドルシャーシ７の一部拡大斜視図、図５は光学シート６の位置規制部６１をミドルシャーシ７の嵌合部７６に嵌合した状態を示す一部正面図、図６は図１のVI−VI線断面図である。以下の説明では、各図中に矢印で示す上下、左右、前後を使用する。
【００２０】
ＴＶ受信機１は、表示パネル５を有する表示モジュール２と、該表示モジュール２を挟むようにして収容する合成樹脂製のフロントキャビネット３及びリアキャビネット４と、アンテナ（不図示）から放送波を受信するチューナ２１と、符号化された放送波を復号するデコーダ２２とを備える。表示モジュール２は、全体として横長の略直方体状をなし、縦姿勢でフロントキャビネット３及びリアキャビネット４内に収容されている。
【００２１】
図２に示すように、フロントキャビネット３は矩形枠状をなす。
リアキャビネット４は、表示モジュール２の側面及び背面を覆うように箱状をなしている。リアキャビネット４には、複数の放熱スリット４１が設けられている。
【００２２】
表示モジュール２は、表示パネル５と、光学シート６と、ミドルシャーシ７，８，８，９と、導光板１０と、反射シート１１と、ＬＥＤ基板１２と、ヒートスプレッダ１３と、ＢＬシャーシ１４とを備える。
表示動作の際には、導光板１０から面状の光が出射され、その光によって表示パネル５の背面が照明される。
【００２３】
ＢＬシャーシ１４は、表示パネル５側が開口された略箱状をなす。そして、ＢＬシャーシ１４に、導光板１０、反射シート１１、ＬＥＤ基板１２、及びヒートスプレッダ１３が収納されている。
ＢＬシャーシ１４の裏面には、前記チューナ２１、及びデコーダ２２、及びＣＰＵ等を備えるメイン基板（不図示）が設けられている。
【００２４】
表示パネル５は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が注入されている。そして、２枚の偏光板は、カラーフィルタ基板及びＴＦＴ基板夫々の、液晶層側とは反対側の面上に配されている。
【００２５】
導光板１０は矩形板状をなし、表示パネル５側に対向する主面と、主面の反対面でＢＬシャーシ１４に対向する裏面と、一対の長側面と、一対の短側面とを有する。そして、下側の長側面が、導光板１０内に光を導入するための光入射面として機能し、該長側面から導光板１０内へ導入された光は、導光板１０の主面から表示パネル５側に向かって出射する。
【００２６】
光学シート６は、拡散シート、レンズシート及びＤＢＥＦシート（反射型偏光シート）等を含むシート群であり、導光板１０の主面側に配されている。そして、この光学シート６によって、導光板１０の主面から出射された光の拡散及び集光等が行われる。
光学シート６の上側の端縁部には、面方向に沿って突出する３個の位置規制部６１が設けられている。
【００２７】
ＬＥＤ基板１２は、導光板１０内へ導入する光を生成するためのものであり、導光板１０の前記長側面側に配されている。ＬＥＤ基板１２の基板本体の平面に、複数のＬＥＤが実装されている。ＬＥＤ基板１２は、導光板１０の前記長側面に沿って延び、複数のＬＥＤが導光板１０の長側面と対向するように配される。
【００２８】
ヒートスプレッダ１３は、ＬＥＤ基板１２が取り付けられるＬＥＤ取付部１３１と、ＢＬシャーシ１４の底板の内面に当接される当接部１３２とを備える。ＬＥＤ取付部１３１と当接部１３２とは、側面視でＬ字状をなしている。
導光板１０の前記裏面に反射シート１１が配されている。
【００２９】
図３、図４、及び図６に示すように、ミドルシャーシ７は、本体７１、パネル支持部７２、リブ７３、緩衝材収納部７４、及び当接部７５を備える。本体７１は板状をなし、本体７１の上側端縁部（外側端縁部）に、板状をなし、本体７１の長手方向に延びるパネル支持部７２が設けられている。
【００３０】
パネル支持部７２の下側端縁部（内側端縁部）にはパネル支持部７２の長手方向に延びるリブ７３が設けられている。
パネル支持部７２は前記位置規制部６１に対応して長手方向に３箇所切り欠かれ、嵌合部７６が設けられている。そして、リブ７３は、嵌合部７６側の端部が嵌合部７６に向かって漸次的に高さが低くなるように切り欠いてある切欠部７３１を有する。切欠部７３１は、図４に示すように曲面状であってもよく、直線状であってもよい。曲面状である場合、表示パネル５に負荷がよりかかりにくくなるので、好ましい。
パネル支持部７２の上側端面には、当接部７５がパネル支持部７２に垂直に連設されている。本体７１の後面には緩衝材収納部７４が凹設されている。
【００３１】
ミドルシャーシ８及び９は、嵌合部を有さないこと以外はミドルシャーシ７と同様の構成を有する。
【００３２】
以上のように構成されたミドルシャーシ７においては、位置規制部６１がパネル支持部７２の嵌合部７６に嵌合された状態で、本体７１の平面に光学シート６の端縁部が支持される。そして、リブ７３と当接部７５との間に緩衝材１５が載置された状態で、表示パネル５の後面の端縁部がパネル支持部７２に支持される。緩衝材収納部７４には緩衝材１６が収納され、導光板１０の前面の端縁部が緩衝材１６に当接される。
すなわち、表示パネル５の前面の端縁部とフロントキャビネット３との間に緩衝材１８が介在し、表示パネル５の後面の端縁部とパネル支持部７２との間に緩衝材１５が介在する状態で、表示パネル５はフロントキャビネット３及びミドルシャーシ７に挟持される。
当接部７５は、下面がＢＬシャーシ１４の上板部分の上面に当接するとともに、上面がフロントキャビネット３の上板部分の下面に当接する。すなわち、ミドルシャーシ７はＢＬシャーシ１４の上板部分を支持する。
以上の構成により、表示パネル５とバックライトユニットとが一体化されている。
【００３３】
本実施の形態の表示モジュール２は以上のように構成されているので、表示モジュール２の組み立て時に、図６に示すミドルシャーシ７が開く方向に力が働いた場合においても、リブ７３が切欠部７３１を有するので、リブ７３の嵌合部７６側端部が表示パネル５に当たることがない。すなわち、嵌合部７６の両端部側において表示パネル５に負荷がかかることがない。従って、表示パネル５のセル厚が変化して白抜けが生じ、ＴＶ受信機１の表示品位が悪化するのが良好に抑制されている。
【００３４】
実施の形態２．
図７は、本発明の実施の形態２に係るＴＶ受信機のミドルシャーシ７を示す一部斜視図である。図中、図４と同一部分は同一符号を付して詳細な説明を省略する。
本実施の形態に係るミドルシャーシ７は、パネル支持部７２上の下側端縁部に設けられたリブ７７が嵌合部７６の端部側で欠落した欠落部７７１を有する。
【００３５】
本実施の形態のミドルシャーシ７は以上のように構成されているので、表示モジュール２の組み立て時に、ミドルシャーシ７が開く方向に力が働いた場合においても、リブ７７が欠落部７７１を有するので、リブ７７の嵌合部７６側端部が表示パネル５に当たることがない。すなわち、嵌合部７６の両端部側において表示パネル５に負荷がかかることがない。従って、表示パネル５のセル厚が変化して白抜けが生じ、ＴＶ受信機１の表示品位が悪化するのが良好に抑制されている。なお、リブ７７の欠落部７６側の端面をＲ状としてもよい。
【００３６】
実施の形態３．
図８は、本発明の実施の形態３に係るＴＶ受信機のミドルシャーシ７を示す一部斜視図である。図中、図４と同一部分は同一符号を付して詳細な説明を省略する。図８において、フロントキャビネット３の表示パネル５の端縁部を覆う部分は省略している。
本実施の形態に係るミドルシャーシ７は、パネル支持部７２上の下側端縁部に設けられたリブ７８が嵌合部７６の端部側で欠落した欠落部７８２と、欠落部７８２に連なる傾斜部７８１とを有する。
【００３７】
本実施の形態のミドルシャーシ７は以上のように構成されているので、表示モジュール２の組み立て時に、ミドルシャーシ７が開く方向に力が働いた場合においても、リブ７８が欠落部７８２と傾斜部７８１とを有するので、リブ７８の嵌合部７６側端部が表示パネル５に当たることがない。すなわち、嵌合部７６の両端部側において表示パネル５に負荷がかかることがない。そして、緩衝材１５を嵌合部７６の端部まで設けて、表示パネル５にかかる荷重を吸収する必要もない。本実施の形態においては、表示パネル５のセル厚が変化して白抜けが生じ、ＴＶ受信機１の表示品位が悪化するのが良好に抑制されている。
なお、傾斜部７８１の端部はＲ状としてもよい。
【００３８】
実施の形態４．
図９は、本発明の実施の形態４に係るＴＶ受信機のミドルシャーシ７を示す一部斜視図である。図中、図４と同一部分は同一符号を付して詳細な説明を省略する。
本実施の形態に係るミドルシャーシ７は、パネル支持部７９の嵌合部７６側の端部が、本体７１側へ傾斜した傾斜部７９１を有する。
【００３９】
本実施の形態のミドルシャーシ７は以上のように構成されているので、表示モジュール２の組み立て時に、ミドルシャーシ７が開く方向に力が働いた場合においても、パネル支持部７９が傾斜部７９１を有するので、表示パネル５の嵌合部６側部分で圧力がかかった場合に該圧力が吸収される。従って、表示パネル５のセル厚が変化して白抜けが生じ、ＴＶ受信機１の表示品位が悪化するのが良好に抑制されている。
なお、傾斜部７９１の端部はＲ状としてもよい。
【００４０】
実施の形態５．
図１０は、本発明の実施の形態５に係るＴＶ受信機の、表示モジュール２がフロントキャビネット３で覆われた状態を示す一部断面図である。図中、図６と同一部分は同一符号を付して詳細な説明を省略する。すなわち、本実施の形態に係るミドルシャーシ７は、切欠部７３１を有する。
本実施の形態においては、当接部７５の上面と、フロントキャビネット３の上板部分の下面との間に、スペーサ１７を有する。
【００４１】
本実施の形態に係るＴＶ受信機は、スペーサ１７を有するので、図１０に示す矢印の方向、すなわちミドルシャーシ７を導光板１０側へ押さえ付ける方向に力が働き、ミドルシャーシ７が開くのが抑制されている。従って、ミドルシャーシ７が切欠部７３１を有することと相まって、リブ７３が表示パネル５に当接するのがより良好に抑制されている。
【００４２】
実施の形態６．
図１１は、本発明の実施の形態６に係るＴＶ受信機の、表示モジュール２がフロントキャビネット３で覆われた状態を示す一部断面図である。図中、図６と同一部分は同一符号を付して詳細な説明を省略する。すなわち、本実施の形態に係るミドルシャーシ７は、切欠部７３１を有する。
本実施の形態においては、当接部７５の上面に、フロントキャビネット３の上板側へ突出した突起部７５１を備える。
【００４３】
本実施の形態に係るＴＶ受信機は、突起部７５１を有するので、図１１に示す矢印の方向、すなわちミドルシャーシ７を導光板１０側へ押さえ付ける方向に力が働き、ミドルシャーシ７が開くのが抑制されている。従って、ミドルシャーシ７が切欠部７３１を有することと相まって、リブ７３が表示パネル５に当接するのがより良好に抑制されている。
【００４４】
以上のように、本発明に係る表示装置（１）は、矩形板状をなし、前側で映像を表示する表示パネル（５）と、矩形板状をなし、前記表示パネルの後側に配され、端縁部に、面方向に沿って突出する複数の位置規制部（６１）を有する光学シート（６）と、板状をなし、前記光学シートの端縁部を支持しており、外側端縁部に、板状をなし、その内側端縁部にリブ（７３、７８）を有し、前記表示パネルの端縁部を支持しており、前記位置規制部を嵌合する嵌合部（７６）を有するパネル支持部（７２）が設けられた支持体（７）とを備える表示装置において、前記リブは、前記嵌合部側の端部が前記嵌合部に向かって漸次的に高さが低くなるように切り欠いてあることを特徴とする。
【００４５】
本発明によれば、リブの嵌合部側の端部が支持体の基部（本体）側へ傾斜しているので、表示パネルが支持体の嵌合部で落ち込んだ場合においても、リブの端部が表示パネルに当接することがない。従って、嵌合部の両端部側において表示パネルに負荷がかかることがない。よって、表示パネルのセル厚が変化して白抜けが生じ、表示品位が悪化するのが抑制されている。
【００４６】
本発明に係る表示装置（１）は、矩形板状をなし、前側で映像を表示する表示パネル（５）と、矩形板状をなし、前記表示パネルの後側に配され、端縁部に、面方向に沿って突出する複数の位置規制部（６１）を有する光学シート（６）と、板状をなし、前記光学シートの端縁部を支持しており、外側端縁部に、板状をなし、その内側端縁部にリブ（７７、７８）を有し、前記表示パネルの端縁部を支持しており、前記位置規制部を嵌合する嵌合部（７６）を有するパネル支持部（７２）が設けられた支持体（７）とを備える表示装置において、前記リブは、前記嵌合部側の端部が欠落していることを特徴とする。
【００４７】
本発明によれば、リブの嵌合部側の端部が欠落しているので、表示パネルが支持体の嵌合部で落ち込んだ場合においても、リブの端部が表示パネルに当接することがない。すなわち、嵌合部の両端部側において表示パネルに負荷がかかることがない。従って、表示パネルのセル厚が変化して白抜けが生じ、表示品位が悪化するのが抑制されている。
【００４８】
本発明に係る表示装置（１）は、矩形板状をなし、前側で映像を表示する表示パネル（５）と、矩形板状をなし、前記表示パネルの後側に配され、端縁部に、面方向に沿って突出する複数の位置規制部（６１）を有する光学シート（６）と、板状をなし、前記光学シートの端縁部を支持しており、外側端縁部に、板状をなし、その内側端縁部にリブを有し、前記表示パネルの端縁部を支持しており、前記位置規制部を嵌合する嵌合部（７６）を有するパネル支持部（７９）が設けられた支持体（７）とを備える表示装置において、前記パネル支持部は、前記嵌合部側の端部が前記嵌合部に向かって漸次的に高さが低くなるように切り欠いてあることを特徴とする。
【００４９】
本発明によれば、パネル支持部の嵌合部側の端部が支持体の基部（本体）側へ傾斜しているので、表示パネルが支持体の嵌合部で落ち込んだ場合においても、リブの端部が表示パネルに当接することがない。従って、嵌合部の両端部側において表示パネルに負荷がかかることがない。よって、表示パネルのセル厚が変化して白抜けが生じ、表示品位が悪化するのが抑制されている。
【００５０】
本発明に係る表示装置（１）は、前記表示パネルの前面の端縁部及び側面を覆うキャビネット（３）を有し、前記支持体は、前記パネル支持部の外側に、前記キャビネットの前記側面を覆う部分に当接する当接部（７５）を有しており、前記部分と前記当接部との間に、スペーサ（１７）を備えることを特徴とする。
【００５１】
本発明によれば、支持体がキャビネット側に開くのが抑制されており、リブが表示パネルに当接するのがより抑制されている。
【００５２】
本発明に係る表示装置（１）は、前記表示パネルの前面の端縁部及び側面を覆うキャビネット（３）を有し、前記支持体は、前記パネル支持部の外側に、前記キャビネットの前記側面を覆う部分に当接する当接部（７５）を有しており、前記当接部は、前記部分側に突出した突起部（７５１）を備えることを特徴とする。
【００５３】
本発明によれば、支持体がキャビネット側に開くのが抑制されており、リブが表示パネルに当接するのがより抑制されている。
【００５４】
本発明に係るＴＶ受信機（１）は、上述のいずれかの表示装置と、テレビジョン放送を受信する受信部（２１）とを備え、前記受信部にて受信したテレビジョン放送に基づいて、前記表示装置に映像を表示するようにしてあることを特徴とする。
【００５５】
本発明によれば、白抜けが生じず、表示品位が良好である。
【００５６】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【符号の説明】
【００５７】
１  ＴＶ受像機
２  表示モジュール
３  フロントキャビネット
４  リアキャビネット
５  表示パネル
６  光学シート
７、８、９  ミドルシャーシ
７１  本体
７２、７９  パネル支持部
７３、７７、７８  リブ
７３１  切欠部
７８１  傾斜部
７７１、７８２  欠落部
７４  緩衝材収納部
７５  当接部
７５１  突起部
７６  嵌合部
１０  導光板
１１  反射シート
１２  ＬＥＤ基板
１３  ヒートスプレッダ
１４  ＢＬシャーシ
１５、１６、１８  緩衝材
１７  スペーサ
２１  チューナ
２２  デコーダ
【図１】
0006542770.tif 000002
【図２】
0006542770.tif 000003
【図３】
0006542770.tif 000004
【図４】
0006542770.tif 000005
【図５】
0006542770.tif 000006
【図６】
0006542770.tif 000007
【図７】
0006542770.tif 000008
【図８】
0006542770.tif 000009
【図９】
0006542770.tif 000010
【図１０】
0006542770.tif 000011
【図１１】
0006542770.tif 000012
【図１２】
0006542770.tif 000013
【図１３】
0006542770.tif 000014